(57)【要約】【課題】コストの低減、設置空間の縮小、レンズセンタリングの困難度の低減、レンズセンタリングの時間の短縮を図り、しかもマルチレンズセットの間に適用することができるレンズセンタリング装置を提供すること。【解決手段】レンズが設けられるための支持端を有するホルダーに適用され、レンズの光軸とホルダーの中心軸との相対位置が調整されるためのレンズセンタリング装置において、第１の微調整手段と、第２の微調整手段と、保持手段と、を備え、レンズに平行するようにレンズの外縁とホルダーとの間に設けられた例えば偏心ピンである第１及び第２の微調整手段によってレンズの微調整を行うレンズセンタリング装置。【選択図】図２
2007025624.tif 000002
【特許請求の範囲】
【請求項１】
レンズが設けられるための支持端を有するホルダーに適用され、レンズの光軸とホルダーの中心軸との相対位置が調整されるためのレンズセンタリング装置において、
レンズに平行するようにレンズの外縁とホルダーとの間に設置され、前記レンズの光軸とホルダーの中心軸との第１の方向における相対位置を微調整する第１の微調整手段と、
レンズに平行するようにレンズの外縁とホルダーとの間に設置され、前記レンズの光軸とホルダーの中心軸との第２の方向における相対位置を微調整し、前記第２の方向が前記第１の方向と交差している第２の微調整手段と、
前記ホルダーに結合され、前記レンズを光軸方向に沿って移動するように制限し、前記第１の方向、第２の方向とは逆の方向における弾性力をそれぞれ付与するための保持手段と、
を備えることを特徴とするレンズセンタリング装置。
【請求項２】
前記ホルダーの支持端には、レンズを支持するための端面と、第１及び第２の微調整手段を設けるための設置部とが設けられていることを特徴とする請求項１に記載のレンズセンタリング装置。
【請求項３】
前記設置部は、第１の凹部及び第２の凹部を備えることを特徴とする請求項２に記載のレンズセンタリング装置。
【請求項４】
前記第１の微調整手段及び第２の微調整手段は、いずれも偏心ピンであることを特徴とする請求項１に記載のレンズセンタリング装置。
【請求項５】
前記第１の微調整手段及び第２の微調整手段のそれぞれには、相互に偏心する位置決め部及び作用部が備えられていることを特徴とする請求項１に記載のレンズセンタリング装置。
【請求項６】
前記位置決め部は、円柱体であることを特徴とする請求項５に記載のレンズセンタリング装置。
【請求項７】
前記作用部は、カムであることを特徴とする請求項５に記載のレンズセンタリング装置。
【請求項８】
前記第１及び第２の微調整手段の外端面には、グルーブが設置されていることを特徴とする請求項１に記載のレンズセンタリング装置。
【請求項９】
前記グルーブは、一字溝であることを特徴とする請求項８に記載のレンズセンタリング装置。
【請求項１０】
前記保持手段は、前記レンズを付勢するための第１の弾性部材を有し、前記レンズの軸方向移動を制限することを特徴とする請求項１に記載のレンズセンタリング装置。
【請求項１１】
前記第１の弾性部材は、弾性片またはバネのいずれかから選択されることを特徴とする請求項１０に記載のレンズセンタリング装置。
【請求項１２】
前記保持手段は、２つの第２の弾性部材を有し、第１及び第２の方向とは逆の方向における弾性力がそれぞれ付与されていることを特徴とする請求項１に記載のレンズセンタリング装置。
【請求項１３】
前記第２の弾性部材は、弾性片またはバネのいずれかから選択されることを特徴とする請求項１２に記載のレンズセンタリング装置。
【請求項１４】
前記第１の方向と第２の方向との交錯挟み角は、６０度から１２０度であることを特徴とする請求項１に記載のレンズセンタリング装置。
【請求項１５】
前記第１の方向と第２の方向との交錯挟み角は、９０度であることを特徴とする請求項１４に記載のレンズセンタリング装置。
【請求項１６】
前記保持手段の外側には、前記ホルダーに固定されるための固定部がさらに備えられていることを特徴とする請求項１に記載のレンズセンタリング装置。
【請求項１７】
前記固定部は、前記保持手段の外側から伸びて折り返された係止片であり、ホルダーの外部には、前記係止片に係止するための凸部がさらに設けられていることを特徴とする請求項１６に記載のレンズセンタリング装置。
【請求項１８】
前記第１、第２の微調整手段の外部には、スリーブがさらに設けられていることを特徴とする請求項１に記載のレンズセンタリング装置。
【請求項１９】
前記ホルダーは、レンズを設けるための支持端を有する鏡筒であることを特徴とする請求項１に記載のレンズセンタリング装置。
【発明の詳細な説明】
【技術分野】
【０００１】
本発明は、レンズの光軸の校正技術に関し、特にレンズの光軸とホルダー（holder）の中心軸との相対位置を調整するためのレンズセンタリング（lens centering）装置に関する。
【背景技術】
【０００２】
デジタル時代の到来に伴って、撮像素子の画素（pixel）がますます増加し、撮像レンズの解像度への要求が高まっているため、撮像レンズにはより高い光機精度が要求されている。しかしながら、単に部品や組立ての精度を向上させるには、その製造工程が困難となるだけではなく、コストも高くなるため、レンズの設計には常に補正の措置が取られている。すなわち、少なくともいずれか一つのレンズのセンタリング微調整を行って、レンズのセンタリング不良を最終的に補正することにより、最良の解像度を達成している。
【０００３】
従来のレンズセンタリング装置としては、レンズの外周部に複数の切り口部が設置され、ホルダーとしての鏡筒の上に設けられたねじによってレンズがX軸及びY軸方向における切り口部にそれぞれ当接される。そのレンズのねじ毎の反対側エッジの切り口部には、弾性係止ピンが設置され、ねじの回動を介してレンズの光軸を直交方向に沿って微小シフトさせることでレンズのセンタリング調整を行う。弾性係止ピンの弾性力が、ねじの末端に当接されるレンズに供与されるからである（例えば、特許文献１参照）。
【０００４】
他の従来のレンズセンタリング装置としては、ホルダーとしての鏡筒の周囲に雄ねじが、鏡筒のフレーム内部にそれに対応する複数の雌ねじが設けられた構成が提案されている。これらの雌ねじには、異なる中心があり、その中の一組の雌ねじが鏡筒と同軸であり、その他の組の雌ねじの中心と鏡筒の中心とがある程度シフトする。これにより、鏡筒のねじ山を選択的にいずれかの雌ねじにロックして、レンズの光軸の校正を行う（例えば、特許文献２参照）。
【０００５】
他の従来のレンズセンタリング装置としては、偏心ピンによって調整する構成であり、ラジアル方向に沿って設けられた偏心ピンの調整操作によって、レンズをスリーブ中心軸方向にシフトする（例えば、特許文献３参照）。
【０００６】
他の従来のレンズセンタリング装置としては、偏心ピンによって調整する構成であり、主として鏡筒中心軸方向に沿って設けられた偏心ピンによってレンズのラジアル方向の微調整を行う（例えば、特許文献４照）。
【０００７】
【特許文献１】米国特許第３,９８９,３５８号公報
【特許文献２】米国特許第５,４２４,８７３号公報
【特許文献３】米国特許第４,９８９,９５０号公報
【特許文献４】実開昭６０ー１５０５１１号公報
【発明の開示】
【発明が解決しようとする課題】
【０００８】
しかしながら、特許文献１のレンズ微調整装置では、ラジカル方向に沿って設けられた複数のねじ及び弾性係止ピンが必要であり、全セットのレンズは、その外径サイズが少なくともレンズ直径ないしねじの長さを含まなければならないとなっているため、所要のスペースが大きくなり、レンズの小型化に不利になり、しかもコストにも不利である。さらに、一般に、鏡筒はプラスチック材料からなり、ねじの回転ロックの操作の場合、ねじ山と鏡筒との摩擦により切削に近い粉塵が生じ、レンズの汚染となるおそれがある。
【０００９】
また、ねじによってレンズのラジアル方向に沿って調整する場合、ねじピッチのシフト量によって微調整の距離を換算する必要があり、ねじの回転回数によってしか換算できず、直感による微調整距離を推定することができないため、微調整作業の不便や困惑となる。そして、レンズの公称位置は、レンズセンタリングの初期位置であり、しかもこの公称位置よりセンタリングを行うほうがもっとも時間の節約になる。このレンズ微調整装置の設計では、光軸直交方向にレンズが移動されるためには、複数のねじを同時にまたは交互に回転させる必要があるため、レンズの公称位置を見つけ出すことが容易ではなく、レンズの光軸と鏡筒中心軸との相対位置を速やかに精度よく調整することができなくなる。
【００１０】
特許文献２に開示されたレンズセンタリング装置においては、複数の雌ねじによって軸心の調整に合わせているため、鏡筒が長くなるのみならず、校正範囲が雌ねじに対応する特定位置に限定されているため、精度よく微調整を行うことができない問題がある。
【００１１】
特許文献３に開示されたレンズセンタリング装置においては、レンズのラジアル方向への微調整を行うことができない問題がある。
【００１２】
特許文献４に開示されたレンズセンタリング装置においては、偏心ピンの設置方向が、鏡筒の中心軸と互いに平行である。従って、調整したいレンズが２組のレンズセットの間にある場合、隣り合うレンズセットが阻害となり、調整手段が偏心ピンに近接しにくく調整できなくなる。そのため、その応用範囲が極めて制限される問題がある。同時に、この技術においては、レンズエッジに調整距離を観察するための複数のトレンチの加工が必要であるため、加工のコストが一段と増大する問題がある。
【００１３】
（発明の目的）
本発明は、従来技術のレンズセンタリング装置の上述した問題に鑑みてなされたものであって、コストの低減、設置空間の縮小、レンズセンタリングの困難度の低減、レンズセンタリングの時間の短縮を図り、しかもマルチレンズセットの間に適用することができるレンズセンタリング装置を提供することを目的とする。
【課題を解決するための手段】
【００１４】
本発明は、レンズが設けられるための支持端を有するホルダーに適用され、レンズの光軸とホルダーの中心軸との相対位置が調整されるためのレンズセンタリング装置において、
レンズに平行するようにレンズの外縁とホルダーとの間に設置され、前記レンズの光軸とホルダーの中心軸との第１の方向における相対位置を微調整する第１の微調整手段と、
レンズに平行するようにレンズの外縁とホルダーとの間に設置され、前記レンズの光軸とホルダーの中心軸との第２の方向における相対位置を微調整し、前記第２の方向が前記第１の方向と交差している第２の微調整手段と、
前記ホルダーに結合され、前記レンズを光軸方向に沿って移動するように制限し、前記第１の方向、第２の方向とは逆の方向における弾性力をそれぞれ付与するための保持手段と、
を備えることを特徴とするレンズセンタリング装置である。
【００１５】
本発明の実施態様は、以下のとおりである。
前記ホルダーの支持端には、レンズを支持するための端面と、第１及び第２の微調整手段を設けるための設置部とが設けられていることを特徴とする。
前記設置部は、第１の凹部及び第２の凹部を備えることを特徴とする。
前記第１の微調整手段及び第２の微調整手段は、いずれも偏心ピンであることを特徴とする。
前記第１の微調整手段及び第２の微調整手段のそれぞれには、相互に偏心する位置決め部及び作用部が備えられていることを特徴とする。
【００１６】
前記位置決め部は、円柱体であることを特徴とする。
前記作用部は、カムであることを特徴とする。
前記第１及び第２の微調整手段の外端面には、グルーブが設置されていることを特徴とする。
前記グルーブは、一字溝であることを特徴とする。
前記保持手段は、前記レンズを付勢するための第１の弾性部材を有し、前記レンズの軸方向移動を制限することを特徴とする。
前記第１の弾性部材は、弾性片またはバネのいずれかから選択されることを特徴とする。
前記保持手段は、２つの第２の弾性部材を有し、第１及び第２の方向とは逆の方向における弾性力がそれぞれ付与されていることを特徴とする。
前記第２の弾性部材は、弾性片またはバネのいずれかから選択されることを特徴とする。
【００１７】
前記第１の方向と第２の方向との交錯挟み角は、６０度から１２０度であることを特徴とする。
前記第１の方向と第２の方向との交錯挟み角は、９０度であることを特徴とする。
前記保持手段の外側には、前記ホルダーに固定されるための固定部がさらに備えられていることを特徴とする。
前記固定部は、前記保持手段の外側から伸びて折り返された係止片であり、ホルダーの外部には、前記係止片に係止するための凸部がさらに設けられていることを特徴とする。
前記第１、第２の微調整手段の外部には、スリーブがさらに設けられていることを特徴とする。
【発明の効果】
【００１８】
本発明のレンズセンタリング装置によれば、コストの低減、設置空間の縮小、レンズセンタリングの困難度の低減、レンズセンタリングの時間の短縮を図り、しかもマルチレンズセットの間に適用することができるレンズセンタリング装置を構成できる効果を得ることができる。
【発明を実施するための最良の形態】
【００１９】
以下、本発明の実施形態のレンズセンタリング装置を、図に基づいてさらに詳細に説明する。ただし、本発明は、これらの実施形態に限定されるものではなく、明細書に記載の内容に基づいく変形、素子の数の変更、形状の変更、サイズの変更、レイアウト変更等、設計変更も本発明に含まれることは、当然である。
【００２０】
（第１の実施形態）
図１Ａないし図１Ｂは、本発明に係るレンズセンタリング装置の第１の実施形態の異なる角度による組み立て構造を模式的に示す。図に示すように、本発明に係るレンズセンタリング装置は、レンズ２０が設けられたホルダーとしての鏡筒１０に適用される。レンズの光軸とホルダーの中心軸との相対位置が調整されるためのレンズセンタリング装置は、鏡筒１０とレンズ２０との間に設置される第１の微調整手段３０及び第２の微調整手段４０と、前記鏡筒１０に結合され前記レンズ２０の微調整範囲を制限するための保持手段５０と、を備える。
【００２１】
前記第１の微調整手段３０は、前記レンズ２０の光軸と鏡筒１０の中心軸とが第１の方向における相対位置を微調整する。前記第２の微調整手段４０は、前記レンズ２０の光軸と鏡筒１０の中心軸とが第２の方向における相対位置を微調整する。前記第２の方向は、前記第１の方向と平行ではない。本実施形態において、鏡筒１０を応用されるホルダーとしているが、当該技術領域において通常知識を有する者が理解できるように、本発明の実際の応用は図面における鏡筒１０に限定されるものではなく、鏡筒１０と同じ機能を有するホルダーであればよいことがいうまでもない。
【００２２】
図２は、本発明に係るレンズセンタリング装置の第１の実施形態の分解構造を模式的に示す。鏡筒１０は、レンズ２０、第１の微調整手段３０及び第２の微調整手段４０を設置するための支持端を備える。この支持端は、レンズ２０が設けられるための端面１０aと、例えば鏡筒２０の管壁に形成され、第１の微調整手段３０及び第２の微調整手段４０がそれぞれ収容されるための第１の凹部１０b、１０d及び第２の凹部１０c、１０eとを有する。簡単化のため、本発明に係る特徴及び構造がより分かりやすくなるように、ここでは本発明に直接関連する構造のみが示され、鏡筒のその他の部分の構造は従来のものと類似しているため、その説明を省略している。
【００２３】
前記レンズ２０は、凸レンズ、接合レンズまたは例えばズーム群、合焦群のレンズセットである。このレンズ２０は、その底面２０aが鏡筒１０の支持端の端面１０aに設けられ、レンズ２０の頂部が保持手段５０によって付勢され、レンズ２０の外縁２０bの位置が前記保持手段５０によって制限されている。
【００２４】
保持手段５０は、弾性材料が一体形成された薄型環状構造であり、この弾性材料が金属薄板、非金属薄板またはシート体など良好な強度や弾性を有する材料であればよい。この保持手段５０は、レンズ２０を軸方向に弾性的に付勢する第１の弾性片５０aと、ラジアル方向にレンズ２０に弾性力を付与する第２の弾性片５０bと、を備える。前記第１の弾性片５０aは、レンズ２０の頂面に当接され、レンズ２０への弾性の反発力が与えられ、レンズ２０の軸方向の移動が制限される。第２の弾性片５０bは、レンズ２０の外縁２０bに当接され、レンズ２０にはそれぞれ第１及び第２の微調整手段３０、４０の方向への弾性の反発力が与えられ、レンズ２０が第１及び第２の微調整手段３０、３０に当接される。
【００２５】
前記保持手段５０の第１の弾性片５０a及び第２の弾性片５０bは、実際の応用に応じてその数量や形態を選択することができる。本実施形態において第１の弾性片５０a及び第２の弾性片５０bの数量は、いずれも３個である。第１の弾性片５０a及び第２の弾性片５０bの数は、この実施形態に限定されるものではなく、また、充分な強度や弾性を有する弾性部材であればいずれの数、形状のものでもよい。例えば、独立の部材であってもよい。
【００２６】
図２に示すように、第１の微調整手段３０及び第２の微調整手段４０は、例えば同じ構造の偏心ピンであってよく、両方が相互に直交わるように設置される。前記第１の微調整手段３０及び第２の微調整手段４０のそれぞれは、図３に示すように、相互に偏心である位置決め部及び作用部を有する。第１の大径３０d、４０d、第２の大径３０e、４０eを作用部とし、第１の小径３０b、４０b、第２の小径３０c、４０cを位置決め部とし、前記第１の大径３０d、４０dと第２の大径３０e、４０eとが互いに同軸である。前記第１の小径３０b、４０bと第２の小径３０c、４０cとは、互いに同軸である。第２の大径３０e、４０eの外端面は、グルーブ３０a、４０aが設けられている。前記グルーブ３０a、４０aは、第１の微調整手段３０及び第２の微調整手段４０が偏向するように駆動及び識別する機能を有している。
【００２７】
第１の微調整手段３０の第１の小径３０b及び第２の微調整手段４０の第１の小径４０bは、鏡筒１０の第１の凹部１０b、１０dに対応して設けられ、第１の微調整手段３０の第２の小径３０c及び第２の微調整手段４０の第２の小径４０cのそれぞれは、鏡筒１０の第２の凹部１０c、１０eに対応して設けられている。第１、第２の微調整手段３０、４０の第１の大径３０d、４０dは、鏡筒１０の端面１０aに当接され、第２の大径３０e、４０eは、第１の凹部１０b、１０dを通し、鏡筒１０の外側からグルーブ３０a、４０aを観察できるようにすると、例えばドライバーなどの調整手段（図示せず）の操作に便利である。
【００２８】
図４Ａないし図４Ｃは、本発明に係る第１の実施形態のレンズセンタリング装置のセンタリングプロセスの断面図を示す。簡単化のために、各図には保持手段５０の主要構造が省略されており、第１、第２の微調整手段３０、４０は同じ構成であるため、より分かりやすくなるように、各図には第１の微調整手段３０の作動プロセスのみが表示されている。
図に示すように、レンズ２０は鏡筒１０の支持端の端面１０aに設けられ、保持手段５０の第１の弾性片５０aによってレンズ２０が軸方向に移動するように位置付けられている。第１の微調整手段３０はレンズ２０の外縁２０bと鏡筒１０との間に設けられており、第１の微調整手段３０の大径３０d及び小径３０bは微量に偏心しており、第１の大径３０dは鏡筒１０の端面１０aに当接され、保持手段５０の第２の弾性片５０bによって第１の大径３０dがレンズ２０の外縁２０bに当接される。調整ツール（図示せず）が第１の微調整手段３０のグルーブ３０a内に挿入され第１の微調整手段３０が回動されることにより、レンズ２０の光軸Bと鏡筒１０の中心軸Aとが相対的にシフトしている。
【００２９】
調整操作者は、グルーブ３０aの方向を利用してレンズ２０の公称位置すなわち設計位置を特定することができる。第１の微調整手段３０が時計方向に沿って回転される場合、図４Ａに示すように、レンズ２０が微量に左に移動し、それに対応する光軸Bが中心軸Aに対して左に移動する。逆に、第１の微調整手段３０が反時計方向に沿って回転される場合、図４Ｂに示すように、レンズ２０が微量に右に移動し、それに対応する光軸Bが中心軸Aに対して右に移動する。
【００３０】
実際の調整作動において、第１の微調整手段３０と第２の微調整手段４０の設置方向は約９０度の挟み角となっており、図４Ｃに示すように、第１の微調整手段３０と第２の微調整手段４０をそれぞれ回転させることにより、レンズ２０の光軸Bと鏡筒１０の中心軸Aとが位置合わせされるまで、レンズ２０を鏡筒１０に中心軸に直交する平面範囲内で微少に移動するように駆動することができる。レンズ２０のセンタリング調整は、前記の実施形態のように、鏡筒１０の中心軸Aに同軸するように調整されることに限定されず、レンズセットの実際の組み合わせに応じて中心軸Aからずれるように調整してもよい。さらに、前記第１の微調整手段３０及び第２の微調整手段４０の設置方向は、相互に９０度の挟み角となっているのが好ましいが、実際に、６０度から１２０度の間の角度であってもよい。
【００３１】
本発明に係るレンズセンタリング装置では、レンズ２０に平行すなわち光軸に直交するように、レンズ２０外縁２０aと鏡筒２０との間に設けられた偏心ピンである第１の微調整手段３０及び第２の微調整手段４０によってレンズの微調整を行っている。そのため、偏心ピンの直径に相当する設置空間が必要であり、しかもその設置空間として例えば鏡筒のホルダーの既存の管壁厚さを利用することが可能である。従って、レンズセンタリング装置の設置空間が縮小され、コストの低減、レンズ体積の縮小を図り、しかも統合度を向上することができる。
【００３２】
また、第１の微調整手段３０及び第２の微調整手段４０は、その外端面にはグルーブ３０a、４０aが設置されることから方向性があり、微調整プロセスにおいてレンズ２０の公称位置すなわち設計位置の特定が容易となり、この公称位置すなわち設計位置をレンズ微調整の起点とすることにより、レンズセンタリングの時間を有効に低減することができる。
【００３３】
さらに、第１の微調整手段及び第２の微調整手段のそれぞれは、レンズに平行すなわち光軸に直交するようにレンズの外縁とホルダーとの間に設置され、レンズセンタリング装置はレンズのラジアル方向がラジアル微調整されているため、何れかのレンズセットのセンタリングへも設置することができ、単レンズセットのレンズセンタリングへの応用のみならず、レンズセットの間のレンズセンタリング調整への応用にも適用できる。従って、従来のように、レンズが２組のレンズセットの間にある場合、調整ツールが軸線方向置きの偏心ピンに近接しにくく、レンズセンタリングが極めて困難となるという欠点が克服されている。
【００３４】
（第２の実施形態）
図５は、本発明に係るレンズセンタリング装置の第２の実施形態の断面図を模式的に示す。第１の実施形態と同一または近似の部品にはダッシュまたはダブリュダッシュの参照番号を付与して、図面の記載内容も簡略化し、その詳しい説明を省略している。
第２の実施形態のレンズセンタリング装置は、前記第１の実施形態に近似の構成からなり、本実施形態において異なる点は、レンズ２０’が第１の微調整手段３０’、第２の微調整手段４０’に当接するようにするための弾性部材６０’が、保持手段から延びて形成される弾性片ではなく、独立に設けられた圧縮バネであることにある。
【００３５】
（第３の実施形態）
図６は、本発明に係る第３の実施形態のレンズセンタリング装置の断面図を模式的に示す。第１の実施形態と同一または近似の部品にはダッシュまたはダブリュダッシュの参照番号を付与して、図面の記載内容も簡略化し、その詳しい説明を省略している。
第３の実施形態において、レンズセンタリング装置は、前記第１の実施形態に近似の構成からなり、第３実施形態において異なる点は、第１の微調整手段３０”、第２の微調整手段４０”の外周にはそれぞれスリーブ７０”が被覆されており、前記スリーブ７０”とそれに対応する第１の微調整手段３０”、第２の微調整手段４０”との間を低摩擦にし、スリーブ７０”とレンズ２０”との間を高摩擦にする。このように構成することにより、レンズ２０”が微調整されるプロセスにおいて、レンズの光軸Bの鏡筒１０の中心軸Aに対する移動量が正確に付与され、回転性質である微調整を移動性質である微調整に変換しているため、微調整プロセスにおける摩擦現象、特に第１の微調整手段３０”、第２の微調整手段４０”とレンズ２０”の外縁との表面摩擦を低減することができ、その使用寿命を延長することができる。
【００３６】
上述したように、これらの実施の形態は本発明を例示する目的で示すものであり、本発明は、これらによって何ら限定されるものではない。本発明に係る実質的な技術内容は、特許請求の範囲に定義される。本発明はこの技術分野に精通したものが特許請求の範囲を脱しない範囲で色々な修飾や変更が可能であり、そうした修飾や変更は本発明の技術範囲に入るものである。
【図面の簡単な説明】
【００３７】
【図１Ａ】本発明に係るレンズセンタリング装置の第１の実施形態の異なる角度の組み立て構成を模式的に示す。
【図１Ｂ】本発明に係るレンズセンタリング装置の第１の実施形態の異なる角度の組み立て構成を模式的に示す。
【図２】本発明に係るレンズセンタリング装置の第１の実施形態の分解構成を模式的に示す。
【図３】本発明に係るレンズセンタリング装置の第１の実施形態の微調整手段の断面図を模式的に示す。
【図４Ａ】本発明に係るレンズセンタリング装置の第１の実施形態のレンズセンタリング装置のセンタリングプロセスの断面図を模式的に示す。
【図４Ｂ】本発明に係るレンズセンタリング装置の第１の実施形態のレンズセンタリング装置のセンタリングプロセスの断面図を模式的に示す。
【図４Ｃ】本発明に係るレンズセンタリング装置の第１の実施形態のレンズセンタリング装置のセンタリングプロセスの断面図を模式的に示す。
【図５】本発明に係るレンズセンタリング装置の第２の実施形態の断面図を模式的に示す。
【図６】本発明に係るレンズセンタリング装置の第３の実施形態の断面図を模式的に示す。
【符号の説明】
【００３８】
Ａ                    中心軸
Ｂ                    光軸
１０                  鏡筒
１０ａ                端面
１０ｂ、１０ｄ        第１の凹部
１０ｃ、１０ｅ        第２の凹部
２０、２０’、２０”  レンズ
２０ａ                底面
２０ｂ                外縁
２０ｃ                上端縁
３０、３０’、３０”  第１の微調整手段
３０ａ、４０ａ        グルーブ
３０ｂ、４０ｂ        第１の小径
３０ｃ、４０ｃ        第２の小径
３０ｄ、４０ｄ        第１の大径
３０ｅ、４０ｅ        第２の大径
４０、４０’、４０”  第２の微調整手段
５０                  保持手段
５０ａ                第１の弾性片
５０ａ                第２の弾性片
６０’                弾性部材
７０”                スリーブ
【図１Ａ】
2007025624.tif 000003
【図１Ｂ】
2007025624.tif 000004
【図２】
2007025624.tif 000005
【図３】
2007025624.tif 000006
【図４Ａ】
2007025624.tif 000007
【図４Ｂ】
2007025624.tif 000008
【図４Ｃ】
2007025624.tif 000009
【図５】
2007025624.tif 000010
【図６】
2007025624.tif 000011